(57)【要約】【課題】遊技機に装着されることにより遊技を制御する電子回路基板の集積回路に対する不正行為を簡便かつ早期に発見することができる電子回路基板等を提供すること。【解決手段】この電子回路基板３４は、集積回路３４ｂと、集積回路３４ｂが実装される基板３４ａと、を有し、遊技機に装着されることにより遊技機による遊技を制御する電子回路基板３４であって、基板３４ａには、実装状態の集積回路３４ｂの裏面を視認するための窓部３４ｇが形成されている。【選択図】図５
2011156342.tif 000002
【特許請求の範囲】
【請求項１】
集積回路と、
該集積回路が実装される基板と、を有し、遊技機に装着されることにより該遊技機による遊技を制御する電子回路基板であって、
該基板には、該実装状態の該集積回路の裏面を視認するための窓部が形成されている、電子回路基板。
【請求項２】
前記窓部は、前記基板に形成された開口穴部である、請求項１に記載の電子回路基板。
【請求項３】
前記窓部は、前記集積回路の投影領域内に形成されている、請求項１又は請求項２に記載の電子回路基板。
【請求項４】
前記窓部を介して視認する前記集積回路の前記裏面を照射する照明部材を更に備える、請求項１から請求項３のいずれかに記載の電子回路基板。
【請求項５】
上記に請求項１から請求項４のいずれかに記載の電子回路基板と、
該電子回路基板を収容する基板ケースと、
該基板ケースが装着される遊技機枠と、を有する遊技機。
【発明の詳細な説明】
【技術分野】
【０００１】
本発明は、遊技機に装着されることにより遊技機による遊技を実現する電子回路基板等に関する。
【背景技術】
【０００２】
パチンコ機等の遊技機においては、弾球された遊技球が遊技領域（遊技盤面又はその近傍に形成された領域であって、遊技球の流下による遊技や演出を実現するための領域。）を流下して、その流下の過程で遊技球が遊技領域内の遊技釘や風車に衝突しつつ転回して流下方向が変化する。その結果、遊技領域上に配置された各種入賞口に遊技球が入賞すれば所定の賞球の払出しがされ、一方いずれの入賞口にも入賞せずアウト口に遊技球が流入すれば賞球の払出しはされない。遊技者は、弾球における自らの技量を発揮して、又は遊技球の流下における偶然性を利用しつつ遊技球の入賞及び賞球の払出しを期待し、遊技を楽しむのである。
【０００３】
このようなパチンコ機においては、年々遊技の態様や演出が複雑化・多様化してきており、それに伴い遊技機の動作や演出を制御するための電子回路基板の構造や機能も複雑化・多様化してきている。このような電子回路基板に対して不正な破壊や改造が行われると、遊技が適正に行われなかったり、一部の不正な遊技者に対して不当な利益が付与されてしまったりするおそれがある。そのため、電子回路基板を基板ケースによって内包し、外部からアクセスし難く構成している。
【０００４】
このように基板ケースによって電子回路基板を内包することにより、電子回路基板へ不正アクセスをし難くすることができる。また、一般的に電子回路基板を内包する基板ケースは、電子回路基板の下方を覆う本体ケースと、電子回路基板の上方を覆う蓋ケースと、によって構成されており、内包する電子回路基板の実装面を透視し得るように蓋ケースを透明な材質によって構成している。しかし、本体ケースが透明な材質によって構成されていないと、電子回路基板の実装面と反対の裏面を視認することが難しく、裏面における不正行為（例えば、ジャンパー配線等）が発見しづらいという欠点があった。
【０００５】
このような問題に鑑みて、蓋ケースのみならず本体ケースも透明な材質によって構成して、電子回路基板の裏面の視認性を高めるように構成した遊技機が提供されている（例えば、特許文献１参照）。
【先行技術文献】
【特許文献】
【０００６】
【特許文献１】特開平１１−３００００６号公報
【発明の概要】
【発明が解決しようとする課題】
【０００７】
しかし、特許文献１に記載の遊技機は、電子回路基板の裏面は確認することができるが、電子回路基板に実装された集積回路の裏面を視認することができないため、集積回路に対する不正行為を発見し難いという問題点がある。
【０００８】
集積回路に対する不正行為を検出するためには、集積回路の表面及び裏面を目視にて確認する必要がある。しかし、従来の電子回路基板では、実装状態において集積回路の表面を確認することができるが、裏面を確認することが難しく、集積回路の不正行為を確実に検出するためには、Ｘ線等電磁波を用いて調べなければならなかった。したがって、不正行為の検出作業に手間と時間を要していた。
【０００９】
本発明は、上記の事情に鑑みて為されたもので、遊技機に装着されることにより遊技を制御する電子回路基板の集積回路に対する不正行為を簡便かつ早期に発見することができる電子回路基板及び遊技機を提供することを例示的課題とする。
【課題を解決するための手段】
【００１０】
上記の課題を解決するために、本発明の例示的側面としての電子回路基板は、集積回路と、集積回路が実装される基板と、を有し、遊技機に装着されることにより遊技機による遊技を制御する電子回路基板であって、基板には、実装状態の集積回路の裏面を視認するための窓部が形成されている。
【００１１】
本発明に係る電子回路基板は、集積回路が実装される基板に、実装状態の集積回路の裏面を視認させるための窓部が形成されているため、窓部を介して集積回路の裏面を視認することが可能となる。したがって、例えば、集積回路が正規品から不正品に交換されたり、集積回路に不正な処理が施されたりした場合において、表側からだけなく裏側からも集積回路を確認することができる。
【００１２】
したがって、基板に実装された実装状態の集積回路の裏面を容易に視認することができ、不正行為が行われた際に簡便かつ早期に痕跡を確認することができて、不正行為の予防及び早期発見に寄与することができる。
【００１３】
窓部は、基板に形成された開口穴部であってもよい。窓部は、基板の裏側から基板に実装された集積回路の裏面を視認できるように構成されていればよく、種々の構成を採用することができる。具体的な窓部の構成としては、基板の一部に形成された透明部分であってもよいし、基板に形成された切り欠き部であってもよいし、基板を貫通した開口穴部であってもよい。
【００１４】
基板は、その表面に複数の配線が実装されていることが多く、基板の表面には胴箔が施されている。したがって、基板自体を透明にすることが困難な場合がある。また、基板は、一般的にエポキシ樹脂、ガラス繊維を有して構成されており、胴箔を除いても視認性を担保することができないことがある。一方、開口穴部によって窓部を構成することにより、基板の一部を透明にする等の加工が不要となり、かつ大きな設計変更を要せずに窓部を容易に形成することができる。
【００１５】
窓部は、集積回路の投影領域内に形成されていてもよい。窓部は、基板の裏面側から集積回路の裏面を視認できればよく、その配置は限定されない。しかし、集積回路の投影領域内に窓部を配置することにより、集積回路の裏面と窓部とを対向して配置することができ、窓部を介しての集積回路の視認性を向上させることができる。
【００１６】
また、複数の集積回路が実装される基板においては、各集積回路の投影領域内に窓部を形成することにより、他の集積回路等の配置スペースに対する悪影響を少なくすることが可能となり、スペース効率の向上に貢献することができる。
【００１７】
なお、窓部は、検査者の視認性を確保するために、できる限り集積回路の近傍であって、かつできる限り大きく形成することが望ましく、リードを介して集積回路と基板とが接続されている構成においては、リードの内側において出来る限り大きく窓部を形成することが望ましい。
【００１８】
電子回路基板は、窓部を介して視認する集積回路の裏面を照射する照明部材を更に備えるように構成されていてもよい。照明部材を備えることにより、集積回路の裏面の明度を高め、視認性を向上させることができる。
【００１９】
なお、照明部材は、窓部に隣接して配置されていてもよいし、窓部と離間して配置されていてもよい。具体的な照明部材の配置としては、例えば、窓部としての開口穴部を画定する壁面に照明部材を配置する構成でもよいし、基板の表面側に照明部材を配置する構成であってもよい。
【００２０】
更に、集積回路の裏面に予め蛍光塗料を塗布し、かつ照明部材を紫外線光として、照明部材によって蛍光塗料が発光するように構成してもよい。このような構成によれば、集積回路が不正品に交換されたか否かを容易に判別することが可能となる。確認作業は、蛍光塗料が発光しているか否かの確認であるため、比較的暗い場所であっても不正品を検出することが可能となる。
【００２１】
本発明の他の例示的な側面としての遊技機は、上記に記載の電子回路基板と、電子回路基板を収容する基板ケースと、基板ケースが装着される遊技機枠と、を有する。このように構成された遊技機によれば、電子回路基板に対する不正行為を早期に発見することができるため、不正行為を効果的に防止し、遊技者に対して公平な遊技を実現することができる。
【００２２】
また、基板ケースを透明部材によって構成することにより、基板ケースの外部から窓部を介して集積回路の裏面を確認することができ、より簡易に確認できるように構成することができる。更に、例えば、遊技機枠に対して基板ケースを揺動可能に構成し、かつ遊技機枠に装着された状態において基板ケースの裏面側を視認可能に構成することにより、基板ケースを遊技機枠に装着した状態において電子回路基板に実装された集積回路の裏面を視認することが可能となる。
【００２３】
なお、確認的に記載するが、上記において記載した集積回路は、集積回路素子を意味する。また、必ずしも本発明は集積回路素子にのみ適用可能なわけではなく、記憶素子、抵抗素子、蓄電素子等、様々な電子回路素子に適用することができるのはもちろんである。
【００２４】
加えて、本願に係る発明は、以下のような手段を構成することもできる。
【００２５】
例えば、基板の表面側に電子回路素子が実装され、基板には透光孔が形成され、その透光孔にレンズ等の光学素子が取り付けられていてもよい。この場合において、透光孔は、電子回路素子の基板上への投影領域内に形成されていることが好ましい。また、透光孔は、基板に開口形成した開口穴部であってもよいし、基板に電子回路素子を実装するために形成されたスルーホール（貫通孔）であってもよいし、基板の一部を切り欠いた切欠部であってもよい。また、透光孔は基板の表面側から裏面側へと透光させる透明領域であればよく、必ずしも物理的、空間的に開口孔である必要はない。
【００２６】
光学素子は、透光孔全体に亘って配置され、透光孔が光を通過させるが空間的には遮蔽されていることがより好ましい。基板裏面側からの電子回路素子へのアクセスを不可能とすることができるからである。また、光学素子としては、レンズやプリズム等の種々の光学素子を適用することができる。特に、基板裏面と光学素子との距離、光学素子の焦点距離、検査者と光学素子との距離等を考慮して凸レンズや凹レンズを配置すれば、電子回路素子裏面を像拡大して確認を容易とする像拡大機能、電子回路素子の基板近くの脚部分にまで視野を拡大して検査範囲を広げる視野拡大機能を発揮させることができる。なお、電子回路素子がＩＣのような平面視長方形である場合は、これらレンズの形状もシリンドリカルレンズであることが好ましい。
【００２７】
例えば、基板の表面側に電子回路素子が実装され、基板には透光孔が形成され、その透光孔近傍に光ファイバの一方の端面が固定され、光ファイバの他方の端面が検査者にとって視認容易な位置に取り付けられていてもよい。透光孔の定義や適用については上述したものと同様であるので省略する。ここで、光ファイバの一方の端面からは、電子回路素子の裏面側の像が入射するようになっている。そして、その電子回路素子の裏面側の像が光ファイバの他方の端面から出射し、検査者にとって視認容易とされていることが好ましい。
【００２８】
電子回路基板が基板ケース内に配置されている場合には、光ファイバの他方の端面は、基板ケースを貫通して基板ケースの外部側に位置するように配置され、基板ケースの外部から検査者が電子回路素子裏面の検査ができるようになっていてもよい。しかしながら、基板ケースに貫通孔を形成することが望ましくない場合には、基板ケースを貫通しないで、その内壁側に光ファイバの他方の端面が取り付けられていてもよい。基板ケースを透明材料で形成すれば、その場合でも検査者は基板ケースの外部から電子回路素子の裏面の検査を容易に行うことができる。なお、光ファイバの端面が小さく、視認容易性の観点から好ましくない場合には、他方の端面に光ファイバコネクタを介して像拡大手段を取り付けることが好ましい。一層の視認容易を図ることができ、検査者の検査負担の軽減に寄与する。この発明によれば、光ファイバを用いて電子回路素子裏面の検査を行うので、基板の透光孔のサイズを小さくすることができるという効果を奏する。光ファイバは、光の開口数が大きいので、大きな視野領域の像を小さい端面に入射させることができるからである。また、光ファイバは可撓性を有しており、一方の端面から入射した入射像を自由な位置で他方の端面から出射させることができるので、検査者の検査位置の自由度が向上する。
【００２９】
なお、上記において説明した種々の発明は、基板が１枚の場合に限られず、例えば、電子回路素子が複数枚の基板に跨って実装配置される場合においても適用可能である。この場合においては、例えば、１つの基板の端部近傍と隣接する別の基板の端部近傍とに跨ってＩＣ（集積回路素子）等の電子回路素子が実装される。
【００３０】
１つの基板の端部と別の基板の端部との間にスリット状の隙間を形成すれば、その隙間を介して基板の裏面側から電子回路素子の裏面側を視認することができる。したがって、この隙間が上述した窓部、開口穴部、透光孔等として機能するのである。
【００３１】
本発明の更なる目的又はその他の特徴は、以下添付図面を参照して説明される好ましい実施の形態によって明らかにされるであろう。
【発明の効果】
【００３２】
本発明によれば、電子回路基板に実装された集積回路の裏面を、電子回路基板に形成された窓部を介して視認することができる。したがって、集積回路に対して不正行為が行われた際に、簡便にその痕跡を確認することができて、不正行為の予防及び早期発見に寄与することができる。
【００３３】
また、窓部を開口穴部によって構成することにより、基板の一部を透明にする等の加工が不要となり、かつ大きな設計変更を要せずに窓部を容易に形成することができる。更に、窓部を介して視認する集積回路の裏面を照射する照明部材を更に備えることにより、集積回路の裏面の明度を高め、視認性を向上させることができる。
【図面の簡単な説明】
【００３４】
【図１】本発明の実施の形態に係るパチンコ機の正面図である。
【図２】図１に示すパチンコ機の背面図である。
【図３】主制御基板ケースの正面図である。
【図４】主制御基板ケースの分解斜視図である。
【図５】図３に示すＡ−Ａ断面の拡大断面図である。
【図６】主制御基板の裏面における開口穴部部分の拡大図である。
【図７】本発明の変形例１に係る電子回路基板近傍の分解斜視図である。
【図８】本発明の変形例１に係る電子回路基板近傍の部分拡大断面図である。
【図９】本発明の変形例１の他の例に係る電子回路基板近傍の部分拡大断面図である。
【図１０】本発明の変形例２に係る電子回路基板近傍の分解斜視図である。
【図１１】本発明の変形例２に係る電子回路基板近傍の部分拡大断面図である。
【図１２】本発明の変形例３に係る電子回路基板近傍の分解斜視図である。
【図１３】本発明の変形例３に係る電子回路基板近傍の部分拡大断面図である。
【発明を実施するための形態】
【００３５】
以下、本発明の実施の形態について図面を用いて説明する。図１は、本発明の実施の形態に係る電子回路基板を有する遊技機としてのパチンコ機２の正面図であり、図２は、図１に示すパチンコ機２の背面図である。このパチンコ機２は、遊技機枠３、遊技盤ユニット５、ガラス１０、発射ユニット（不図示）、球皿１４を有している。発射ユニットは、遊技盤ユニット５に構成される遊技領域１６に向けて１球ずつ遊技球２３を発射可能である。
【００３６】
パチンコ機２は、遊技者が後述する発射装置ハンドル１５を操作することによって、遊技領域１６に向けて遊技球が発射ユニットによって発射され、遊技球の流下による遊技が実現される。なお、遊技機は、パチンコ機２の他にパチンコ式スロットマシン機、コインゲーム機等のアーケードマシン、各種ゲーム機を概念することができ、要するに、遊技媒体の流下による遊技を実現する遊技領域を有するあらゆる遊技機が含まれる。
【００３７】
なお、パチンコ機においても、アレンジボール機、雀球機等の組合せ式パチンコ機、いわゆるデジパチタイプ（１種タイプ）やハネモノタイプ（２種タイプ）のパチンコ機等のあらゆるパチンコ機が概念できるが、本実施の形態においては、デジパチ遊技（１種遊技、図柄変動遊技ともいう。）を実現するいわゆる１種タイプのパチンコ機について例示説明する。なお、図柄変動遊技については後述する。
【００３８】
パチンコ機２の遊技機枠３は、後述する遊技盤ユニット５を保持するためのもので、このパチンコ機２の周囲側面及び前方又はそれに加えて後方を囲むように構成される。遊技機枠３の内部側には、遊技盤ユニット５の他にも後述する各種制御基板や遊技媒体用の経路等各種機構部品が配置され、遊技機枠３によって周囲側面及び前方又はそれに加えて後方からのパチンコ機２内部側への不正アクセスが防止されるようになっている。
【００３９】
パチンコ機２の周囲を囲む外枠４、その内側にヒンジ２２によって前方開閉可能に揺動支持されて遊技盤ユニット５を保持する前枠９、前枠９の前方にヒンジ２２によって前方開閉可能に揺動支持されガラス１０及びその周囲を装飾する装飾部材３２を保持するガラス枠１２、を有して遊技機枠３が構成される。なお、ガラス１０は、遊技機枠３内部側に保持された遊技盤６を前方から遊技者が視認することができるようにするための透明部材である。遊技機枠は、遊技盤ユニット５を保持する前枠９と、後述する主制御基板ケース（基板ケース）３５と、を備えている。
【００４０】
ガラス１０は、遊技盤６に対して一定距離以上離間して配置された透明板である。ガラス１０は、２枚の透明平板ガラスで形成されてガラス枠１２の裏面側に保持され、遊技盤６との間に遊技球２３が流下する流下空間を形成する機能、遊技者がガラス１０を通して遊技盤６を視認できるように視認性を確保する機能、遊技者が遊技盤６に不正にアクセス（接触）できないようにする不正アクセス防止機能、を発揮する。
【００４１】
球皿１４は、遊技者の持ち球を貯留するためにパチンコ機２の前面に配置された皿部材であって、本実施の形態においては上球皿１４ａと下球皿１４ｂとを有している。上球皿１４ａは、球抜き部材１４ｃを有して遊技盤６の下方、すなわちガラス枠１２の下方部分に配置され、下球皿１４ｂは、その上球皿１４ａの更に下方に配置されている。
【００４２】
発射ユニットは、球送り装置（不図示）によって球皿１４の一部としての上球皿１４ａから発射位置に送り出された遊技球２３を遊技領域１６の上部に向けて発射（弾球）するためのものである。発射ユニットは、例えば発射位置の遊技球２３を弾球する発射杆、その発射杆を駆動する発射モータ、発射杆を付勢して弾球力を発生させる発射バネ等を有してユニット構成され、前枠９に取り付けられている。その発射ユニットによる球発射のため、遊技者の操作に基づいて球発射のオンオフ及びその発射強度調整を実現する発射装置ハンドル１５がパチンコ機２の前面下方に設けられている。
【００４３】
遊技盤ユニット５は、遊技盤面６ａ側の略中央に遊技役物としてのセンター役物７が配置された遊技盤６を有しており、その遊技盤面６ａには多数の遊技釘２７も配置されている。センター役物７の中央部には、画像表示手段としての演出表示装置７ａが配置されると共に、この演出表示装置７ａの表示部７ｂを露出させるための表示開口部７ｄが形成されている。
【００４４】
遊技盤６は、その表面側に遊技球２３の流下による遊技を実現するための遊技領域１６を構成するための盤状部材であり、遊技盤６を前方から遊技者にとって視認可能となるように遊技機枠３（本実施の形態においては、遊技機枠３の一部としての前枠９。）に保持されている。その遊技盤６の表面には略円形状に周囲を囲むようにレール飾り２６が取り付けられており、レール飾り２６の外レール２６ａが遊技盤に対して立設するように配置されている。そして、レール飾り２６の外レール２６ａによって画定され、外レール２６ａに面した略円形状の領域が遊技領域１６となっている。
【００４５】
遊技釘２７は、遊技領域１６を流下する遊技球２３と衝突してその流下方向を変更させる流下変更部材であり、遊技領域１６内に多数配置されている。また、遊技領域１６には、普通入賞口２８、始動入賞口２９、大入賞口３１等の入球部材及びアウト口３０が配置されている。更に、遊技領域１６には、ゲート３３、風車２５等が配置されており、流下する遊技球２３が各入球部材に流入したり、ゲート３３を通過したり、風車２５を回転させたりすることによって、遊技球２３による流下遊技を楽しむことができるようになっている。
【００４６】
センター役物７は、演出表示装置７ａの周囲を覆うように構成されており、図柄変動遊技（１種遊技）を実現するものである。センター役物７の上部には、図柄表示手段としての第１図柄（特別図柄）表示装置１７が配置されると共に、センター役物７の中央部には、演出表示装置７ａが配置されている。
【００４７】
第１図柄（特別図柄）表示装置１７には、抽選手段の抽選結果である第１図柄の変動が表示される。第１図柄は、始動入賞口２９への遊技球２３の入球を契機として実行される第１抽選の結果に対応した図柄である。第１図柄の変動表示が所定の当選態様で停止することにより第１特別遊技としての大当りが発生する。
【００４８】
演出表示装置７ａは、例えば、液晶表示装置・有機ＥＬディスプレイ・ＬＥＤ等により構成されて遊技者が遊技盤面６ａ側から視認可能となるように配置され、その表示部７ｂ上に映像表示を行うものである。この演出表示装置７ａの表示部７ｂには、第１図柄に連動する第１装飾図柄の表示がなされる。第１装飾図柄は、第１抽選手段の抽選結果を視覚的に演出するための図柄であり、第１の遊技に対応する。また、例えば、キャラクター等によるストーリー仕立ての映像としての演出映像も表示部７ｂ上に表示されるようになっている。演出表示装置７ａには、遊技制御手段としての演出制御基板が中継基板を介して電気的に接続されており、演出制御基板によって画像表示が制御される。
【００４９】
図２に示すように遊技盤６の裏面側には、パチンコ機２の全体の制御を行う電子回路基板としての主制御基板３４を内包する主制御基板ケース３５と、演出表示装置７ａの画像表示等演出の制御等を行う演出制御基板（図示せず）を収容した演出制御基板ケース３６と、賞球の払出しを制御する払出制御基板（図示せず）を収容した払出制御基板ケース３７と、電源基板（図示せず）を収容した電源基板ケース３８と、が配置されている。この各制御基板ケースに収容された各制御基板によって遊技が実現される。更に、遊技盤６の裏面側には、パチンコ機２の遊技状態等の遊技情報を外部に出力するための外部出力端子板３９が設けられている。
【００５０】
図示しない球発射装置により遊技球２３が発射されると、遊技球２３はレール飾り２６の外レール２６ａに沿いつつ進行して遊技領域１６内の上部に至る。その後、遊技球２３は、複数の通過軌跡に沿って移動し、あるものはレール飾り２６の外レール２６ａに沿って右側に移動し、あるものは遊技釘２７に衝突しつつ遊技領域１６内を下方に流下し、あるものは普通入賞口２８に流入して一定数の賞球の払出し契機となり、あるものはいずれの入球装置にも流入せずに遊技領域１６内最下部に位置するアウト口３０に流入してアウト球としてパチンコ機２の外部側へと排出される。
【００５１】
図柄変動遊技中に遊技球２３が始動入賞口２９に流入すると、その流入に起因して演出表示装置７ａの表示図柄７ｃが回転表示（第１の特別遊技の抽選）を開始し、その表示図柄７ｃが所定の図柄（例えば、「７・７・７」。）で停止表示すれば、図柄変動遊技における大当り（第１の特別遊技。以下、図柄変動大当りという。）が発生する。そして、大入賞口３１が開放して多量の入賞球を受け入れ、多量の賞球が球皿１４へと払い出されるようになっている。
【００５２】
次いで、主制御基板３４及びこの主制御基板３４を内包する主制御基板ケース３５について図３から図６を用いて詳細に説明する。以下の説明においては、上下及び前後左右の方向は、遊技者からパチンコ機２を見た際の方向に基づいて定義し、図中に適宜図示する。なお、本実施の形態では、主制御基板３４及び主制御基板ケース３５について例示して説明するが、他の制御基板ケースについても同様の構造を採用することが可能である。
【００５３】
図３は、主制御基板３４を収容した主制御基板ケース３５の正面図であり、図４は、主制御基板３４及び主制御基板ケース３５の分解斜視図である。図５は、図３に示すＡ−Ａ断面を拡大した拡大断面図であり、図６は、主制御基板３４の窓部部分を拡大した拡大背面図である。
【００５４】
主制御基板ケース３５は、遊技盤の裏面に装着される本体ケース（基板ケース）３５ａと、本体ケース３５ａに対して着脱自在に固定される蓋ケース（基板ケース）３５ｂとの２つの基板ケースを有し、これら両者が協働して主制御基板３４を内部に内包する。主制御基板３４は、蓋ケース３５ｂの内面側に形成された開口部に固定されて、蓋ケース３５ｂと本体ケース３５ａとが係合することにより、主制御基板ケース３５の内部に収容されるようになっている。この収容された状態では、主制御基板３４に対して外部から接触することはできない。
【００５５】
主制御基板３４は、板状の基板３４ａと、基板３４ａの表面（ここでいう表面は、パチンコ機２を正面から視認した状態において後面側となる。）３４ｄに実装された電子部品と、を備えている。電子部品は、ＲＯＭ、ＲＡＭ、ＣＰＵ等の集積回路３４ｂと、接続コネクタ３４ｃと、を有して構成されている。
【００５６】
主制御基板３４の周囲には、蓋ケースに固定するための固定穴３４ｆが形成されている。主制御基板３４の後側から固定穴３４ｆに固定ネジを挿入して、この固定ネジと蓋ケース３５ｂのネジ穴（図示せず）とをネジ止めすることにより、主制御基板３４が蓋ケース３５ｂ内に固定されるようになっている。
【００５７】
図４に示す主制御基板ケース３５の下側部には、ヒンジ部が設けられている。ヒンジ部は、本体ケース３５ａの下側壁面に沿った軸部（図示せず）と、この軸部に係止される円弧状の弧状爪部３５ｅと、を有して構成され、軸部は蓋ケース３５ｂに形成され、弧状爪部３５ｅは本体ケース３５ａに形成されている。蓋ケース３５ｂは本体ケース３５ａに対して軸部を中心として揺動可能に支持されており、蓋ケース３５ｂが本体ケース３５ａに対して回転移動することより、主制御基板ケース３５の開口部を開放した開状態と閉鎖した閉状態とを実現する。
【００５８】
主制御基板ケース３５の上側部には、痕跡残留部としての封止部が形成されている。封止部は、本体ケース３５ａに形成された本体カシメ部３５ｇと、蓋ケース３５ｂに連結部材３５ｈを介して接続された蓋カシメ部３５ｋと、本体カシメ部３５ｇと蓋カシメ部３５ｋとの間に収容可能な封止片３５ｍと、からなる。
【００５９】
封止片３５ｍは、「ロック」の文字が印字された表面が前方に位置する第１状態又は表面が後側に位置する第２状態で各カシメ部に収容される。本体カシメ部３５ｇ内に封止片３５ｍを第１状態で配置して基板ケースを閉状態とすると、封止片３５ｍは本体カシメ部３５ｇ及び蓋カシメ部３５ｋと嵌合して、主制御基板ケース３５の閉状態が保持される封止状態となる。一方、本体カシメ部３５ｇに封止片３５ｍを第２状態で配置して基板ケースを閉状態とすると、封止片３５ｍは本体カシメ部３５ｇ及び蓋カシメ部３５ｋと嵌合せず、基板ケースの閉状態は保持されない。
【００６０】
したがって、主制御基板ケース３５を閉状態で封止する際には、いずれかの封止片３５ｍを第１状態として各カシメ部に配置し、他の封止片３５ｍを第２状態として各カシメ部に配置して、基板ケースを閉状態とする。これにより、主制御基板ケース３５は、封止状態となる。
【００６１】
このような封止部によって主制御基板ケース３５を封止することにより、封止状態を解除することは困難であり、主制御基板ケース３５を開封するためには、第１状態の封止片３５ｍを収容した蓋カシメ部３５ｋと連結された連結部材３５ｈを切断して、この蓋カシメ部３５ｋを蓋ケース３５ｂから切り離すことが必要である。したがって、主制御基板ケース３５を開封した後は、連結部材３５ｈを切断した痕跡が残り、主制御基板ケース３５が不正に開放されたことを検出することができる。
【００６２】
更に、主制御基板ケース３５の上端部には、本体ケース３５ａと蓋ケース３５ｂの分離を阻止すべく両ケースに跨るように固定された封印シール４１が貼付されている。主制御基板ケース３５が不正に開放されると、封印シール４１が破れるため、不正に開放されたことを検知することができる。このように、本体ケース３５ａと蓋ケース３５ｂとが分離した際には検知できるように構成されており、かつ本体ケース３５ａと蓋ケース３５ｂとが分離し難く構成されているため、主制御基板３４への不正アクセスを防止することができる。
【００６３】
一方、本体ケース３５ａと蓋ケース３５ｂとを容易に分離することができないように構成されているため、主制御基板３４に対して不正な改造等の不正行為がなされているか否かを確認する際は、主制御基板ケース３５の外部から行うことになる。主制御基板ケースを構成する本体ケース３５ａ及び蓋ケース３５ｂは、透明な材質によって構成されており、主制御基板ケース３５の外部から内包された主制御基板３４を視認することが可能である。
【００６４】
主制御基板ケース３５の外部から目視することによって、主制御基板３４の表面３４ｄ、裏面３４ｅ及び集積回路３４ｂの表面を確認することが可能であるが、主制御基板３４の基板３４ａは不透明であるため、主制御基板３４の裏面３４ｅ側から実装状態の集積回路３４ｂの裏面を視認することができない。したがって、主制御基板３４には、実装状態の集積回路３４ｂの裏面を視認するための開口穴部（窓部）３４ｇが形成されている。
【００６５】
開口穴部３４ｇは、前後方向に貫通した開口部であって、前後方向において集積回路３４ｂの裏面と対向して配置されている。図６は、主制御基板３４の裏面における開口穴部３４ｇ部分の拡大図である。集積回路３４ｂの上辺と下辺には、複数のリード３４ｋが接合されており、はんだ付けによって基板３４ａとリード３４ｋとが接合されている。
【００６６】
リード３４ｋと基板３４ａとの接合点３４ｈ（図６参照）は、集積回路３４ｂの上辺と下辺とに沿って２列に形成されている。接合点３４ｈには、各々配線３４ｍが接続されており、この配線３４ｍを介して集積回路３４ｂと中継基板（図示せず）等が電気的に接続されている。また、２列の接合点３４ｈの内側に開口穴部３４ｇが形成されている。
【００６７】
このように主制御基板３４に開口穴部３４ｇを形成することにより、集積回路３４ｂを主制御基板３４から取り外すことなく、かつ主制御基板３４を主制御基板ケース３５から取り出すことなく、実装状態の集積回路３４ｂの裏面を視認することが可能となる。したがって、集積回路に対して不正行為が行われた際に簡便にその痕跡を確認することができて、不正行為の予防及び早期発見に寄与することができる。
【００６８】
更に、開口穴部３４ｇを画定する壁面には、照明部材としてのＬＥＤ４２が装着されている。ＬＥＤ４２は、開口穴部３４ｇを画定する壁面に沿って４箇所設けられており、実装状態の集積回路３４ｂの裏面を照射するように配置されている。このように、ＬＥＤ４２を設けることにより、集積回路３４ｂの裏面の明度を高め、視認性を向上させることができる。
【００６９】
以上、本発明の好ましい実施の形態を説明したが、本発明はこれらに限定されるものではなく、その要旨の範囲内で様々な変形や変更が可能である。
【００７０】
［変形例１］
図７は、本発明の変形例１に係る電子回路基板１３４近傍の分解斜視図、図８は、その部分拡大断面図である。電子回路基板１３４は、基板１３４ａの表面１３４ｄにＩＣ（集積回路素子、電子回路素子）１３４ｂが実装されて構成されている。より具体的には、基板１３４ａの表面にソケットＳがハンダ付け実装され、そのソケットＳに対してＩＣ１３４ｂが挿入実装されている。
【００７１】
基板１３４ａには、平面視略長方形の検査孔（透光孔）１３４ｇが開口形成されている。この検査孔１３４ｇの開口形状は、実質的にＩＣ１３４ｂの大きさ及び形状と略同じか若干小さい程度とされている。検査孔１３４ｇは、検査者が基板１３４ａの裏面１３４ｅ側からＩＣ１３４ｂの裏面１３４ｎ側を検査するための開口孔であるので、大きい程視認容易である一方、ソケットＳの実装の観点から形状やサイズが制約される。
【００７２】
また、検査のためのものであるから、透光性さえ有していればよく、必ずしも空間的に貫通されている必要はない。例えば、基板１３４ａが透明ガラスで作成されている場合には、検査孔１３４ｇ自体の形成の必要がなく、銅箔が除去された透明の長方形部分が確保されれば、その長方形部分を検査孔１３４ｇの代替として機能させることができる。なお、本変形例１においては、検査孔１３４ｇが貫通孔であるとして説明する。
【００７３】
基板１３４ａの検査孔１３４ｇには、レンズ（光学素子）１０１が取り付けられている。レンズ１０１は、平面視長方形状のシリンドリカルレンズであり、本変形例１においては、凸レンズである。凸レンズ１０１の外形形状は、検査孔１３４ｇの形状と略一致しており、そのため、凸レンズ１０１は検査孔１３４ｇに嵌合する。したがって、凸レンズ１０１を取り付けた状態では、検査孔１３４ｇが遮蔽され、基板１３４ａの表面１３４ｄ側と裏面１３４ｅ側とは空間的に分離されている。
【００７４】
この変形例１においては、凸レンズ１０１は像拡大機能を発揮する。そのため、基板１３４ａの裏面１３４ｅ側から凸レンズ１０１を観察する検査者に対して、ＩＣ１３４ｂの裏面１３４ｎ側の像が拡大呈示される。そのため、ＩＣ１３４ｂの裏面１３４ｎ側の検査が容易となり、不正の早期発見、不正防止に貢献する。
【００７５】
なお、図９に他の例を示すように、光学素子として凹レンズ１０２を使用すれば、視野拡大機能を発揮させて、検査可能範囲を広げることができる。すなわち、基板１３４ａの裏面１３４ｅ側から検査する検査者の視界を、光線Ｐ１に示すようにＩＣ１３４ｂの裏面１３４ｎ近傍において扇状に拡大することができる。それにより、検査者は、凹レンズ１０２のない状態においては検査が困難であったＩＣ１３４ｂの脚部近傍の周辺領域Ｒを容易に検査することができる。検査可能範囲を広げて従来検査が困難又は不可能であった領域までも含めて検査することができるので、不正の早期発見、不正防止に貢献する。
【００７６】
［変形例２］
図１０は、本発明の変形例２に係る電子回路基板１３４近傍の分解斜視図、図１１は、その部分拡大断面図である。電子回路基板１３４が、ソケットＳを介して基板１３４ａの表面１３４ｄにＩＣ（集積回路素子、電子回路素子）１３４ｂが実装されて構成されている点は、変形例１と同様である。本変形例２においては、光ファイバ１０３を用いてＩＣ１３４ｂの裏面１３４ｎ側の検査を行う構成となっている。
【００７７】
基板１３４ａには、検査孔１３４ｇが開口形成されている。この検査孔１３４ｇは、光ファイバ１０３の一方の端部１０３ａが挿入されるための孔である。したがって、検査孔１３４ｇは、光ファイバ１０３の一方の端部１０３ａが挿入できる程度の小径の円断面孔であってよい。なお、光ファイバ１０３の径サイズによっては、基板１３４ａにわざわざ検査孔１３４ｇを開口形成する必要なく、基板１３４ａのスルーホールを検査孔１３４ｇとして利用することも可能である。
【００７８】
光ファイバ１０３の他方の端部１０３ｂは、基板ケース１３５ａに取り付けられている。基板ケース１３５ａに光ファイバ１０３と略同径の貫通孔が形成されており、その貫通孔に光ファイバ１０３の他方の端部１０３ｂが挿入されていてもよい。基板ケース１３５ａが透明である場合は、他方の端部１０３ｂが基板ケース１３５ａの内壁に取り付けられていてもよい。
【００７９】
基板ケース１３５ａの外部であって、光ファイバ１０３の他方の端部１０３ｂの取付け位置に対応する位置には、拡大レンズユニット（像拡大手段）１０５が基板ケース１３５ａに対して着脱可能に取り付けられている。拡大レンズユニット１０５は、光ファイバコネクタ１０４を介して基板ケース１３５ａに対して着脱可能とされており、検査者が検査する場合に基板ケース１３５ａに対して取付け、検査終了後に基板ケース１３５ａから取り外せるようになっている。
【００８０】
光ファイバ１０３の一方の端部１０３ａは、光の開口数が大きく、光線Ｐ２に基づく視野を確保している。したがって、検査孔１３４ｇが小径であっても大きな検査可能範囲を確保することができ、ＩＣ１３４ｂの脚部近傍まで検査することができる。光ファイバ１０３の一方の端部１０３ａから入射したＩＣ１３４ｂの裏面側の像は、光ファイバ１０３内を転送され、他方の端部１０３ｂから出射し、拡大レンズユニット１０５によって拡大されて検査者によって視認される。広い検査範囲を拡大された像の視認により検査することができるので、ＩＣ１３４ｂの裏面側における不正の確実かつ早期な発見に一層貢献する。
【００８１】
なお、この変形例２に係る発明においては、光ファイバ１０３によってＩＣ１３４ｂの裏面側の像を転送するので、検査者による検査位置の自由度が高い。例えば、光ファイバ１０３の他方の端部１０３ｂをＩＣ１３４ｂの表面側の基板ケース１３５ａに配置すれば、ＩＣ１３４ｂの表面側からＩＣ１３４ｂの裏面側の検査を行うことができる。
【００８２】
［変形例３］
図１２は、本発明の変形例３に係る電子回路基板１３４近傍の分解斜視図、図１３は、その部分拡大断面図である。この変形例３においては、２枚の基板１０７，１０８に跨るようにＩＣ１３４ｂが実装されている。基板１０７の端部１０７ａと基板１０８の端部１０８ａとは、所定幅の隙間を開けて配置されている。その結果、両端部１０７ａ，１０８ａ間には、所定幅のスリット１１０が形成されることとなる。
【００８３】
このスリット１１０を介して、基板１０７，１０８の裏面１０７ｂ，１０８ｂ側から検査者がＩＣ１３４ｂの裏面１３４ｎ側の検査を行うことができる。すなわち、別途開口穴部や透光孔を形成する必要なく、２枚の基板１０７，１０８により形成されるスリット１１０を透光孔として機能させることにより、ＩＣ１３４ｂの裏面１３４ｎ側の検査が可能となる。
【符号の説明】
【００８４】
Ｐ１，Ｐ２：光線
Ｒ：周辺領域
Ｓ：ソケット
２：パチンコ機（遊技機）
３：遊技機枠
４：外枠
５：遊技盤ユニット
６：遊技盤
６ａ：遊技盤面
７：センター役物
７ａ：演出表示装置
７ｂ：表示部
７ｃ：表示図柄
７ｄ：表示開口部
９：前枠
１０：ガラス
１２：ガラス枠
１４：球皿
１４ａ：上球皿
１４ｂ：下球皿
１４ｃ：球抜き部材
１５：発射装置ハンドル
１６：遊技領域
１７：第１図柄（特別図柄）表示装置
２２：ヒンジ
２３：遊技球
２５：風車
２６：レール飾り
２６ａ：外レール
２７：遊技釘
２８：普通入賞口
２９：始動入賞口
３０：アウト口
３１：大入賞口
３２：装飾部材
３３：ゲート
３４：主制御基板（電子回路基板）
３４ａ：基板
３４ｂ：集積回路
３４ｃ：接続コネクタ
３４ｄ：表面
３４ｅ：裏面
３４ｆ：固定穴
３４ｇ：開口穴部（窓部）
３４ｈ：接合点
３４ｋ：リード
３４ｍ：配線
３５：主制御基板ケース（基板ケース）
３５ａ：本体ケース（基板ケース）
３５ｂ：蓋ケース（基板ケース）
３５ｅ：弧状爪部
３５ｇ：本体カシメ部
３５ｈ：連結部材
３５ｋ：蓋カシメ部
３５ｍ：封止片
３６：演出制御基板ケース
３７：払出制御基板ケース
３８：電源基板ケース
３９：外部出力端子板
４１：封印シール
４２：ＬＥＤ（照明部材）
１０１：凸レンズ（光学素子）
１０２：凹レンズ（光学素子）
１０３：光ファイバ
１０３ａ：一方の端部
１０３ｂ：他方の端部
１０４：光ファイバコネクタ
１０５：拡大レンズユニット（像拡大手段）
１０７，１０８：基板
１０７ａ，１０８ａ：端部
１０７ｂ，１０８ｂ：裏面
１１０：スリット（隙間）
１３４：電子回路基板
１３４ａ：基板
１３４ｂ：ＩＣ（集積回路素子、電子回路素子）
１３４ｄ：表面
１３４ｅ：裏面
１３４ｇ：検査孔（透光孔）
１３４ｎ：裏面
１３５ａ：基板ケース
【図１】
2011156342.tif 000003
【図２】
2011156342.tif 000004
【図３】
2011156342.tif 000005
【図４】
2011156342.tif 000006
【図５】
2011156342.tif 000007
【図６】
2011156342.tif 000008
【図７】
2011156342.tif 000009
【図８】
2011156342.tif 000010
【図９】
2011156342.tif 000011
【図１０】
2011156342.tif 000012
【図１１】
2011156342.tif 000013
【図１２】
2011156342.tif 000014
【図１３】
2011156342.tif 000015